(57)【要約】  出力回路（１０１）は、スイッチ回路（１９０）を制御するための制御信号（ＶＩＮ）が入力されて、出力信号（ＶＯＵＴ）をスイッチ回路に出力する。出力回路は、出力信号の電圧が調整範囲内で変化する間、制御信号に対する出力信号のスルーレートを、出力信号の電圧が調整範囲外で変化するときよりも低くする。調整範囲は、スイッチ回路のスレッショルド電圧の付近の範囲である。
2017085885.tif 000002
【特許請求の範囲】
【請求項１】
スイッチ回路を制御するための制御信号が入力されて、入力された制御信号の電圧の変化に応じて電圧が変化する出力信号を前記スイッチ回路に出力する出力回路と、
前記出力信号の電圧が変化する範囲内の一部の電圧の範囲であって前記スイッチ回路のスレッショルド電圧を含んだ電圧の範囲である調整範囲内で前記出力信号の電圧が変化する間、前記制御信号に対する前記出力信号のスルーレートを、前記出力信号の電圧が前記調整範囲外で変化するときよりも低くする調整回路と
を備えるスイッチ駆動回路。
【請求項２】
前記調整回路は、前記出力信号の電圧が前記調整範囲内で変化する間、前記出力信号の電圧が前記調整範囲外で変化するときに前記出力回路に流す電流とは異なる大きさの電流を前記出力回路に流し、
前記出力回路は、前記調整回路によって流される電流の大きさに応じたスルーレートで、前記出力信号の電圧を変化させる
請求項１に記載のスイッチ駆動回路。
【請求項３】
前記調整範囲は、前記スイッチ回路のスレッショルド電圧より低い第１の基準電圧から前記スレッショルド電圧より高い第２の基準電圧までの範囲であり、
前記スイッチ駆動回路は、
前記出力信号の電圧と前記第１の基準電圧とを比較し、前記出力信号の電圧が前記第１の基準電圧を超えると、前記調整回路に入力される第１の調整信号を出力する第１のコンパレータと、
前記出力信号の電圧と前記第２の基準電圧とを比較し、前記出力信号の電圧が前記第２の基準電圧を超えると、前記調整回路に入力される第２の調整信号を出力する第２のコンパレータとを備え、
前記調整回路は、
前記第１の調整信号が入力されるまで、第１の大きさの電流を前記出力回路に流し、
前記第１の調整信号が入力されてから前記第２の調整信号が入力されるまで、第２の大きさの電流を前記出力回路に流し、
前記第２の調整信号が入力されてから、前記第１の大きさの電流を前記出力回路に流す
請求項２に記載のスイッチ駆動回路。
【請求項４】
前記調整回路は、前記出力信号の電圧が前記調整範囲内で変化する間、前記出力信号が流れる出力信号線に調整用の負荷を接続する
請求項１に記載のスイッチ駆動回路。
【請求項５】
前記調整範囲は、前記スイッチ回路のスレッショルド電圧より低い第１の基準電圧から前記スレッショルド電圧より高い第２の基準電圧までの範囲であり、
前記スイッチ駆動回路は、
前記出力信号の電圧と前記第１の基準電圧とを比較し、前記出力信号の電圧が前記第１の基準電圧を超えると、前記調整回路に入力される第１の調整信号を出力する第１のコンパレータと、
前記出力信号の電圧と前記第２の基準電圧とを比較し、前記出力信号の電圧が前記第２の基準電圧を超えると、前記調整回路に入力される第２の調整信号を出力する第２のコンパレータとを備え、
前記調整回路は、
前記第１の調整信号が入力されるまで、調整用の前記負荷を前記出力信号線から切り離し、
前記第１の調整信号が入力されてから前記第２の調整信号が入力されるまで、調整用の前記負荷を前記出力信号線に接続し、
前記第２の調整信号が入力されてから、調整用の前記負荷を前記出力信号線から切り離す
請求項４に記載のスイッチ駆動回路。
【請求項６】
前記調整回路は、
調整用の前記負荷と、調整用の前記負荷と前記出力信号線との間に接続される調整スイッチとを有し、
前記調整スイッチは、
前記第１の調整信号が入力されるまでオフの状態になり、
前記第１の調整信号が入力されてから前記第２の調整信号が入力されるまでオンの状態になり、
前記第２の調整信号が入力されてからオフの状態になる
請求項５に記載のスイッチ駆動回路。
【発明の詳細な説明】
【技術分野】
【０００１】
本発明は、スイッチ回路を駆動するスイッチ駆動回路に関するものである。
【背景技術】
【０００２】
スイッチ回路に使用されるＭＯＳトランジスタがオフ状態からオン状態に変化する際、電圧または電流が急激に変化する。そして、電圧または電流の急激な変化はノイズの発生原因となり、他の部品および製品全体の誤動作を招く可能性がある。そのため、電圧または電流の急激な変化を回避する必要がある。
ＭＯＳはＭｅｔａｌ−Ｏｘｉｄｅ−Ｓｅｍｉｃｏｎｄｕｃｔｏｒの略称である。【０００３】
従来技術においては、スイッチ回路の出力電圧に応じてスイッチ駆動回路の能力調整を行う。これにより、スイッチ回路の出力電圧のスルーレートが低下し、ノイズが低減する。
しかし、スイッチ駆動回路からスイッチ回路に出力される出力信号が低レベルから高レベルに変化する立ち上がり期間の間、能力調整によってスルーレートが低下する。そのため、スイッチング特性の一つである応答速度が低下する。【０００４】
特許文献１では、スイッチ回路の電流を制御することによってスイッチ回路の出力電圧が高いまたは低いときにスルーレートを低くするノイズ抑制方法が提案されている。
しかし、スイッチ回路の出力電圧を検出する必要があるため、スイッチ回路と同じ数の検出回路が必要となる。したがって、複数のスイッチ回路を駆動させる場合、製品を小型することが困難になる。【０００５】
特許文献２では、ＭＯＳトランジスタのゲート制御電圧がスレッショルド電圧を超えるときにゲート制御電圧のスルーレートを高速から低速に切り替えるノイズ抑制方法が提案されている。
しかし、ゲート制御電圧のスルーレートが高速から低速に切り替えられた後、ゲート制御電圧のスルーレートは低速のままである。そのため、スイッチ回路の応答速度の低下を十分には抑制できない。
【先行技術文献】
【特許文献】
【０００６】
【特許文献１】特開平８−０７９０５１号
【特許文献２】特開平９−１４８９０９号
【発明の概要】
【発明が解決しようとする課題】
【０００７】
本発明は、スイッチ回路の応答速度の低下を抑えつつノイズを抑制できるようにすることを目的とする。
【課題を解決するための手段】
【０００８】
本発明のスイッチ駆動回路は、
スイッチ回路を制御するための制御信号が入力されて、入力された制御信号の電圧の変化に応じて電圧が変化する出力信号を前記スイッチ回路に出力する出力回路と、
前記出力信号の電圧が変化する範囲内の一部の電圧の範囲であって前記スイッチ回路のスレッショルド電圧を含んだ電圧の範囲である調整範囲内で前記出力信号の電圧が変化する間、前記制御信号に対する前記出力信号のスルーレートを、前記出力信号の電圧が前記調整範囲外で変化するときよりも低くする調整回路とを備える。
【発明の効果】
【０００９】
本発明によれば、スイッチ回路に出力される出力信号の電圧がスレッショルド電圧を含んだ調整範囲内で変化している間だけ、出力信号のスルーレートが低くなる。
したがって、スイッチ回路の応答速度の低下を抑えつつノイズを抑制することができる。
【図面の簡単な説明】
【００１０】
【図１】実施の形態１におけるスイッチ駆動回路１００の構成図。
【図２】実施の形態１における第１の調整回路１０７および第２の調整回路１０８の構成図。
【図３】実施の形態における制御信号ＶＩＮおよび出力信号ＶＯＵＴの波形図。
【図４】実施の形態２におけるスイッチ駆動回路１００の構成図。
【図５】実施の形態２における調整回路１０９の構成図。
【発明を実施するための形態】
【００１１】
実施の形態１．
スイッチ回路の応答速度の低下を抑えつつノイズを抑制するスイッチ駆動回路について、図１から図３に基づいて説明する。
【００１２】
＊＊＊構成の説明＊＊＊
図１に基づいて、スイッチ駆動回路１００の構成について説明する。
スイッチ駆動回路１００は、出力回路１０１と、基準電圧回路１０２と、第１のコンパレータ１０５と、第２のコンパレータ１０６と、第１の調整回路１０７と、第２の調整回路１０８とを備える。
【００１３】
出力回路１０１は、スイッチ回路１９０を制御するための制御信号ＶＩＮが入力されて、出力信号ＶＯＵＴをスイッチ回路１９０に出力する回路である。出力信号ＶＯＵＴは、入力された制御信号ＶＩＮの電圧の変化に応じて電圧が変化する。
具体的には、出力回路１０１は、ＰＭＯＳトランジスタＭＰとＮＭＯＳトランジスタＭＮとが並列に接続されたＣＭＯＳ（Ｃｏｍｐｌｅｍｅｎｔａｒｙ  ＭＯＳ）である。ＰＭＯＳはＰ型ＭＯＳの略称であり、ＮＭＯＳはＮ型ＭＯＳの略称である。
【００１４】
基準電圧回路１０２は、基準電圧を出力する回路である。
具体的には、基準電圧回路１０２は、第１の基準電圧ＶＴ１を第１のコンパレータ１０５に出力し、第２の基準電圧ＶＴ２を第２のコンパレータ１０６に出力する。
第１の基準電圧ＶＴ１はスイッチ回路１９０のスレッショルド電圧より低く、第２の基準電圧ＶＴ２はスイッチ回路１９０のスレッショルド電圧より高い。
【００１５】
第１のコンパレータ１０５は、出力信号ＶＯＵＴの電圧と第１の基準電圧ＶＴ１とを比較する回路である。第１のコンパレータ１０５は、出力信号ＶＯＵＴの電圧が第１の基準電圧ＶＴ１を超えると、第１の調整信号ＳＴ１を出力する。第１の調整信号ＳＴ１は、第１の調整回路１０７および第２の調整回路１０８に入力される。
第２のコンパレータ１０６は、出力信号ＶＯＵＴの電圧と第２の基準電圧ＶＴ２とを比較する回路である。第２のコンパレータ１０６は、出力信号ＶＯＵＴの電圧が第２の基準電圧ＶＴ２を超えると、第２の調整信号ＳＴ２を出力する。第２の調整信号ＳＴ２は、第１の調整回路１０７および第２の調整回路１０８に入力される。
【００１６】
第１の調整回路１０７および第２の調整回路１０８は、第１の調整信号ＳＴ１と第２の調整信号とに従って出力回路１０１の駆動能力を調整する回路である。
第１の調整回路１０７は電源電圧と出力回路１０１との間に接続されて、第２の調整回路１０８は出力回路１０１とグランドとの間に接続される。
【００１７】
図２に基づいて、第１の調整回路１０７および第２の調整回路１０８の構成について説明する。
第１の調整回路１０７は、基準電流回路２０１と調整スイッチ２０２と３つのＰＭＯＳトランジスタ（ＭＰ１〜ＭＰ３）とを備える。
基準電流回路２０１は、３つのＰＭＯＳトランジスタに流す基準電流を生成する回路である。
３つのＰＭＯＳトランジスタは、出力回路１０１のＰＭＯＳトランジスタＭＰａに基準電流を伝えるための素子である。第１のＰＭＯＳトランジスタＭＰ１および第２のＰＭＯＳトランジスタＭＰ２は基準電流ＩＰ２を伝え、第１のＰＭＯＳトランジスタＭＰ１および第３のＰＭＯＳトランジスタＭＰ３は基準電流ＩＰ３を伝える。
調整スイッチ２０２は、出力回路１０１のＰＭＯＳトランジスタＭＰａに伝わる入力電流ＩＰ１を調整するためのスイッチである。
【００１８】
第２の調整回路１０８は、基準電流回路２０３と調整スイッチ２０４と３つのＮＭＯＳトランジスタ（ＭＮ１〜ＭＮ３）とを備える。
基準電流回路２０３は、３つのＮＭＯＳトランジスタに流す基準電流を生成する回路である。
３つのＮＭＯＳトランジスタは、出力回路１０１のＮＭＯＳトランジスタＭＮａに基準電流を伝えるための素子である。第２のＮＭＯＳトランジスタＭＮ２は基準電流ＩＮ２を伝え、第３のＮＭＯＳトランジスタＭＮ３は基準電流ＩＮ３を伝える。
調整スイッチ２０４は、出力回路１０１のＮＭＯＳトランジスタＭＮａに伝わる出力電流ＩＮ１を調整するためのスイッチである。
【００１９】
図１に戻り、スイッチ回路１９０について説明する。
スイッチ回路１９０は、出力信号ＶＯＵＴの電圧に応じてオンの状態またはオフの状態になる回路である。スイッチ回路１９０は、電源電圧に接続された負荷１９９とグランドとの間に接続される。スイッチ回路１９０がオンの状態である場合、電源電圧が負荷１９９に供給される。
具体的には、スイッチ回路１９０はＮＭＯＳトランジスタＭＮ０である。
【００２０】
＊＊＊機能の説明＊＊＊
次に、調整回路の機能について説明する。
図１において、第１の調整回路１０７と第２の調整回路１０８とを合わせて調整回路という。
調整回路は、出力信号ＶＯＵＴの電圧が調整範囲内で変化する間、制御信号ＶＩＮに対する出力信号ＶＯＵＴのスルーレートを、出力信号ＶＯＵＴの電圧が調整範囲外で変化するときよりも低くする。
調整範囲とは、出力信号ＶＯＵＴの電圧が変化する範囲内の一部の電圧の範囲であってスイッチ回路１９０のスレッショルド電圧を含んだ電圧の範囲である。
【００２１】
図３において、調整範囲は、第１の基準電圧ＶＴ１から第２の基準電圧ＶＴ２までの範囲である。
第１の基準電圧ＶＴ１はスイッチ回路１９０のスレッショルド電圧ＶＴＨより低く、第２の基準電圧ＶＴ２はスイッチ回路１９０のスレッショルド電圧ＶＴＨより高い。
スレッショルド電圧ＶＴＨは、スイッチ回路１９０のスレッショルド電圧の標準値を意味する。
網掛け部分は、スレッショルド電圧ＶＴＨの誤差範囲を表している。
【００２２】
電源電圧が３．３ボルトであり、スレッショルド電圧ＶＴＨが０．８ボルトである場合、スレッショルド電圧ＶＴＨの誤差範囲を０．７〜０．９ボルトと仮定することができる。この誤差範囲は、ＮＭＯＳトランジスタの製造時に生じるバラツキ、および、周囲温度などの環境条件に伴う変化を考慮したものである。
そして、出力回路１０１の応答速度を考慮すると、第１の基準電圧ＶＴ１として適当な大きさは０．６ボルトであり、第２の基準電圧ＶＴ２として適当な大きさは１．０ボルトである。したがって、０．６〜１．０ボルトが調整範囲になる。
【００２３】
調整回路の機能の説明を続ける。
具体的には、調整回路は、出力信号ＶＯＵＴの電圧が調整範囲内で変化する間、出力信号ＶＯＵＴの電圧が調整範囲外で変化するときに出力回路１０１に流す電流とは異なる大きさの電流を出力回路１０１に流す。そして、出力回路１０１は、調整回路によって流される電流の大きさに応じたスルーレートで、出力信号ＶＯＵＴの電圧を変化させる。
【００２４】
より具体的には、調整回路は、第１の調整信号ＳＴ１が入力されるまで、第１の大きさの電流を出力回路１０１に流す。また、調整回路は、第１の調整信号ＳＴ１が入力されてから第２の調整信号ＳＴ２が入力されるまで、第２の大きさの電流を出力回路１０１に流す。そして、調整回路は、第２の調整信号ＳＴ２が入力されてから、第１の大きさの電流を出力回路１０１に流す。
【００２５】
＊＊＊動作の説明＊＊＊
図１〜図３に基づいて、スイッチ駆動回路１００の動作について説明する。
図１において、出力回路１０１は、制御信号ＶＩＮが入力されると出力信号ＶＯＵＴを出力する。
【００２６】
図３において、制御信号ＶＩＮが電源電圧から下降し始めると、出力信号ＶＯＵＴが上昇し始める。
制御信号ＶＩＮが下降し始めるとき、図２において、第１の調整回路１０７の調整スイッチ２０２および第２の調整回路１０８の調整スイッチ２０４はオンの状態である。オンの状態は、第１の調整信号ＳＴ１が入力されるまで維持される。
そして、出力回路１０１のＰＭＯＳトランジスタＭＰａには、基準電流ＩＰ２と基準電流ＩＰ３とを合わせた電流が入力電流ＩＰ１として流れる。また、出力回路１０１のＮＭＯＳトランジスタＭＮａには、基準電流ＩＮ２と基準電流ＩＮ３とを合わせた電流が出力電流ＩＮ１として流れる。つまり、出力回路１０１に流される電流が抑制されない。
出力回路１０１に流れる電流が抑制されない場合、出力信号ＶＯＵＴのスルーレートは抑制されず、図３において、出力信号ＶＯＵＴの電圧は第１の基準電圧ＶＴ１まで高速で上昇する。
【００２７】
図１において、第１のコンパレータ１０５は、出力信号ＶＯＵＴの電圧が第１の基準電圧ＶＴ１を超えると、第１の調整信号ＳＴ１を出力する。第１の調整信号ＳＴ１は、第１の調整回路１０７および第２の調整回路１０８に入力される。
図２において、第１の調整回路１０７の調整スイッチ２０２および第２の調整回路１０８の調整スイッチ２０４は、第１の調整信号ＳＴ１が入力されるとオフの状態になる。オフの状態は、第２の調整信号ＳＴ２が入力されるまで維持される。
そして、出力回路１０１のＰＭＯＳトランジスタＭＰａには、基準電流ＩＰ２が入力電流ＩＰ１として流れる。また、出力回路１０１のＮＭＯＳトランジスタＭＮａには、基準電流ＩＮ２が出力電流ＩＮ１として流れる。つまり、出力回路１０１に流される電流が抑制される。
出力回路１０１に流れる電流が抑制される場合、出力信号ＶＯＵＴのスルーレートは抑制されて、図３において、出力信号ＶＯＵＴの電圧は第２の基準電圧ＶＴ２まで低速で上昇する。
【００２８】
図１において、第２のコンパレータ１０６は、出力信号ＶＯＵＴの電圧が第２の基準電圧ＶＴ２を超えると、第２の調整信号ＳＴ２を出力する。第２の調整信号ＳＴ２は、第１の調整回路１０７および第２の調整回路１０８に入力される。
図２において、第１の調整回路１０７の調整スイッチ２０２および第２の調整回路１０８の調整スイッチ２０４は、第２の調整信号ＳＴ２が入力されるとオンの状態になる。
そして、出力回路１０１のＰＭＯＳトランジスタＭＰａには、基準電流ＩＰ２と基準電流ＩＰ３とを合わせた電流が入力電流ＩＰ１として流れる。また、出力回路１０１のＮＭＯＳトランジスタＭＮａには、基準電流ＩＮ２と基準電流ＩＮ３とを合わせた電流が出力電流ＩＮ１として流れる。つまり、出力回路１０１に流される電流が抑制されない。
したがって、出力信号ＶＯＵＴのスルーレートは抑制されず、図３において、出力信号ＶＯＵＴの電圧は電源電圧まで高速で上昇する。
【００２９】
＊＊＊実施の形態１の効果＊＊＊
スイッチ回路１９０がオフの状態からオンの状態に変化する際、出力信号ＶＯＵＴの電圧は急激に変化する。そして、出力信号ＶＯＵＴの急激な変化はノイズの発生原因になり易い。
そこで、スイッチ駆動回路１００は、出力信号ＶＯＵＴの電圧が第１の基準電圧ＶＴ１から第２の基準電圧ＶＴ２までの範囲内で変化する間、出力信号ＶＯＵＴのスルーレートを低くする。つまり、出力信号ＶＯＵＴの電圧がスレッショルド電圧ＶＴＨの付近で変化する間、出力信号ＶＯＵＴのスルーレートは低くなる。これにより、ノイズを抑制することができる。
また、出力信号ＶＯＵＴの電圧が第１の基準電圧ＶＴ１より低い範囲で変化する間、および、出力信号ＶＯＵＴの電圧が第２の基準電圧ＶＴ２より高い範囲で変化する間、出力信号ＶＯＵＴのスルーレートは高いままである。これにより、スイッチ回路１９０の応答速度の低下を抑えることができる。
【００３０】
＊＊＊他の構成＊＊＊
スイッチ回路１９０は、ＮＭＯＳトランジスタＭＮ０以外の素子を用いて構成されてもよい。
出力回路１０１、第１の調整回路１０７および第２の調整回路１０８についても、実施の形態１で説明した構成とは異なる構成でもよい。
【００３１】
実施の形態２．
スイッチ回路の応答速度の低下を抑えつつノイズを抑制するスイッチ駆動回路について、図４および図５に基づいて説明する。但し、実施の形態１と重複する説明は省略または簡略する。
【００３２】
＊＊＊構成の説明＊＊＊
図４に基づいて、スイッチ駆動回路１００の構成について説明する。
スイッチ駆動回路１００は、出力回路１０１と、基準電圧回路１０２と、第１のコンパレータ１０５と、第２のコンパレータ１０６と、調整回路１０９とを備える。
第１のコンパレータ１０５から出力される第１の調整信号ＳＴ１および第２のコンパレータ１０６から出力される第２の調整信号ＳＴ２は、調整回路１０９に入力される。
出力信号ＶＯＵＴが流れる部分の信号線を出力信号線１１０という。
【００３３】
図５に基づいて、調整回路１０９の構成について説明する。
調整回路１０９は、調整スイッチ２０５と調整用の負荷２０６とを備える。
調整スイッチ２０５は、調整用の負荷２０６と出力信号線１１０との間に接続される。
調整用の負荷２０６は、調整スイッチ２０５とグランドとの間に接続される。調整用の負荷２０６は、具体的には容量素子であり、より具体的にはコンデンサである。
【００３４】
＊＊＊機能の説明＊＊＊
次に、調整回路１０９の機能について説明する。
調整回路１０９は、出力信号ＶＯＵＴの電圧が調整範囲内で変化する間、出力信号線１１０に調整用の負荷２０６を接続する。
【００３５】
具体的には、調整回路１０９は、第１の調整信号ＳＴ１が入力されるまで、調整用の負荷２０６を出力信号線１１０から切り離す。また、調整回路１０９は、第１の調整信号ＳＴ１が入力されてから第２の調整信号ＳＴ２が入力されるまで、調整用の負荷２０６を出力信号線１１０に接続する。そして、調整回路１０９は、第２の調整信号ＳＴ２が入力されてから、調整用の負荷２０６を出力信号線１１０から切り離す。
【００３６】
より具体的には、調整スイッチ２０５は、第１の調整信号ＳＴ１が入力されるまでオフの状態になり、第１の調整信号ＳＴ１が入力されてから第２の調整信号ＳＴ２が入力されるまでオンの状態になり、第２の調整信号ＳＴ２が入力されてからオフの状態になる。
【００３７】
図３〜図５に基づいて、スイッチ駆動回路１００の動作について説明する。
図４において、出力回路１０１は、制御信号ＶＩＮが入力されると出力信号ＶＯＵＴを出力する。
【００３８】
図３において、制御信号ＶＩＮが電源電圧から下降し始めると、出力信号ＶＯＵＴが上昇し始める。
制御信号ＶＩＮが下降し始めるとき、図５において、調整回路１０９の調整スイッチ２０５はオフの状態である。オフの状態は、第１の調整信号ＳＴ１が入力されるまで維持される。つまり、調整用の負荷２０６が出力信号線１１０に接続されない。
調整用の負荷２０６が出力信号線１１０に接続されない場合、出力信号ＶＯＵＴのスルーレートは抑制されず、図３において、出力信号ＶＯＵＴの電圧は第１の基準電圧ＶＴ１まで高速で上昇する。
【００３９】
図４において、第１のコンパレータ１０５は、出力信号ＶＯＵＴの電圧が第１の基準電圧ＶＴ１を超えると、第１の調整信号ＳＴ１を出力する。第１の調整信号ＳＴ１は、調整回路１０９に入力される。
図５において、調整回路１０９の調整スイッチ２０５は、第１の調整信号ＳＴ１が入力されるとオンの状態になる。オンの状態は、第２の調整信号ＳＴ２が入力されるまで維持される。つまり、調整用の負荷２０６が出力信号線１１０に接続される。
調整用の負荷２０６が出力信号線１１０に接続される場合、出力信号ＶＯＵＴのスルーレートは抑制されて、図３において、出力信号ＶＯＵＴの電圧は第２の基準電圧ＶＴ２まで低速で上昇する。
【００４０】
図４において、第２のコンパレータ１０６は、出力信号ＶＯＵＴの電圧が第２の基準電圧ＶＴ２を超えると、第２の調整信号ＳＴ２を出力する。第２の調整信号ＳＴ２は、調整回路１０９に入力される。
図５において、調整回路１０９の負荷２０６は、第２の調整信号ＳＴ２が入力されるとオフの状態になる。つまり、調整用の負荷２０６が出力信号線１１０に接続される。
したがって、出力信号ＶＯＵＴのスルーレートは抑制されず、図３において、出力信号ＶＯＵＴの電圧は電源電圧まで高速で上昇する。
【００４１】
＊＊＊実施の形態２の効果＊＊＊
簡易な調整回路１０９を用いて、実施の形態１と同様の効果を得ることができる。
【００４２】
＊＊＊他の構成＊＊＊
調整用の負荷２０６は、コンデンサ以外の素子であってもよい。具体的には、調整用の負荷２０６は抵抗であってもよい。
【００４３】
＊＊＊説明の補足＊＊＊
各実施の形態は、好ましい形態の例示であり、本発明の技術的範囲を制限することを意図するものではない。各実施の形態において、構成の一部に変更を加えてもよいし、構成の一部を省略してもよいし、他の構成要素を加えてもよい。
【符号の説明】
【００４４】
１００  スイッチ駆動回路、１０１  出力回路、１０２  基準電圧回路、１０５  第１のコンパレータ、１０６  第２のコンパレータ、１０７  第１の調整回路、１０８  第２の調整回路、１０９  調整回路、１１０  出力信号線、１９０  スイッチ回路、１９９  負荷、２０１  基準電流回路、２０２  調整スイッチ、２０３  基準電流回路、２０４  調整スイッチ、２０５  調整スイッチ、２０６  負荷。
【図１】
2017085885.tif 000003
【図２】
2017085885.tif 000004
【図３】
2017085885.tif 000005
【図４】
2017085885.tif 000006
【図５】
2017085885.tif 000007
【国際調査報告】
2017085885.tif 000008
2017085885.tif 000009
2017085885.tif 000010
2017085885.tif 000011
2017085885.tif 000012
2017085885.tif 000013